(57)【要約】      （修正有）【課題】椅子をテーブルトップに掛け、テーブル下床面の掃除をし易くする。【解決手段】シート（２１）に固定されるように設計されたホルダ（６）、およびホルダ（６）に結合されたヨーク（２）を備え、前記ヨーク（２）はホルダ（６）に対して可動であり、前記ヨーク（２）は、椅子（２０）に取り付けられる場合、第１の位置と第２の位置との間でシフトすることができ、かつ、椅子（２０）が真っ直ぐに立てて置かれているとき、前記ヨーク（２）は、第１の位置では、椅子のシート（２１）の下側に垂直方向に延出し、および第２の位置では、椅子のシート（２１）の上に垂直方向に延出させる。【選択図】図２ｂ
2011110428.tif 000002
【特許請求の範囲】
【請求項１】
椅子をテーブルトップ（３０）に掛ける目的で、椅子（２０）に取り付けるための取付部品（１）において、
前記取付部品が前記椅子のシート（２１）に固定されるように設計されたホルダ（６）、および前記ホルダに結合したヨーク（２）を含み、
前記ヨークは前記ホルダに対して可動であり、前記ヨークは、前記椅子に取り付けられる場合、第１の位置と第２の位置との間でシフトすることができ、かつ、前記椅子が真っ直ぐに立てて置かれているとき、前記ヨークは、前記第１の位置では、前記椅子の前記シートの下側に垂直方向に延出し、前記第２の位置では、前記椅子の前記シートの上側に垂直方向に延出することを特徴とする取付部品（１）。
【請求項２】
前記ホルダ（６）が、前記シート（２１）の下面に固定されるように設計されている、請求項１に記載の取付部品。
【請求項３】
前記ヨーク（２）が、前記第１の位置では、前記シートの下面に向かって延出している、請求項１または２に記載の取付部品。
【請求項４】
前記取付部品がさらにスプリング（５）を含み、前記スプリングが、バネ力によって前記ヨーク（２）を前記第１および／または前記第２の位置に保持するように配置されている、請求項１〜３のいずれか一項に記載の取付部品。
【請求項５】
前記ホルダ（６）が、前記スプリング（５）および前記ヨークの第１の部分（３ａ）に結合されている、請求項４に記載の取付部品。
【請求項６】
前記ホルダ（６）が長手方向軸（Ｘ）に沿って延在し、および前記ヨーク（２）が長手方向軸の周りで前記ホルダに対して回転可能である、請求項１〜５のいずれか一項に記載の取付部品。
【請求項７】
前記スプリング（５）が、前記ヨークの前記第１の位置と前記第２の位置との間の中間位置では、前記ヨークに加わるバネ力が前記第１または第２の位置におけるよりも大きくなるように、前記ホルダ（６）が、前記ヨークの前記第１の位置と前記第２の位置との間の前記ヨーク（２）の動きを制御するように設計され、前記ヨークは、前記第１の位置と前記第２の位置との間でシフトされるときに前記中間位置を通過する、請求項４または５に記載の取付部品。
【請求項８】
前記ホルダ（６）が長手方向軸（Ｘ）に沿って延在し、および前記長手方向軸に沿った前記ホルダの一方の端部（１０）は、前記ホルダの第１の側部（１０ａ）が前記長手方向軸に沿って前記ホルダの第２の側部（１０ｂ）よりも長い長さ範囲を有するように傾斜面を有する、請求項１〜７のいずれか一項に記載の取付部品。
【請求項９】
前記ヨーク（２）のセクション（４）が前記ホルダの前記傾斜端部（１０）に当接し、前記ヨークが前記第１の位置に配置されるときに、前記セクションが、前記長手方向軸（Ｘ）に沿って短い長さ範囲の前記ホルダの前記側部（１０ｂ）に当接する、請求項８に記載の取付部品。
【請求項１０】
前記ホルダ（６）が長手方向軸（Ｘ）に沿って延在し、前記ヨーク（２）が、前記ホルダに固定された第１の部分（３ａ）と、前記長手方向軸（Ｘ）に対して実質的に平行に延在する第２の部分（３ｂ）とを有し、前記第２の部分が前記長手方向軸から少し離れて配置されている、請求項１〜９のいずれか一項に記載の取付部品。
【請求項１１】
前記ヨークの前記第２の部分（３ｂ）が、前記長手方向軸（Ｘ）から５〜１２センチメートル、好ましくは５〜１０センチメートル、および一層好ましくは６〜９センチメートルの距離に配置される、請求項１０に記載の取付部品。
【請求項１２】
椅子の対向する両側端に配置されている請求項１〜１０のいずれか一項に記載の２つの取付部品（１）を備える、テーブルに掛けるための椅子（２０）。
【請求項１３】
前記２つの取付部品が、前記椅子の前記シート（２１）の下面に固定されている、請求項１２に記載の椅子。
【発明の詳細な説明】
【技術分野】
【０００１】
本発明は、テーブルまたは別の家具の端に椅子を掛けるための取付部品に関する。
【背景技術】
【０００２】
椅子およびテーブルがある場所（ｐｒｅｍｉｓｅ）で床を掃除するとき、通常、テーブルの下の表面の掃除を行うためには、椅子を持ち上げたり動かしたりする必要がある。椅子に肘掛けが設けられている場合、肘掛けを使用して椅子をテーブルの端に掛けることができる。しかしながら、椅子が床にあるときの肘掛けとテーブルトップとの間の高さの差はそれほど大きくないことが多く、肘掛けを用いてテーブルの端に椅子を掛けても、床の表面から１０センチメートル未満しか持ち上げられないこととなる。これは、このように椅子が掛けられているために、例えばモップなどでテーブルの下の床の表面を掃除することが依然として非常に困難であることを意味する。
【０００３】
肘掛けのない椅子の場合、床の表面から十分に離れていない椅子のこの問題の代替的な解決法は、椅子を持ち上げ、上下をひっくり返して、椅子の座部がテーブルに向くようにしてテーブルトップに置くことである。これは、特に多数の椅子がある大きな場所を掃除するときには椅子を高く持ち上げるので骨が折れる。
【発明の概要】
【発明が解決しようとする課題】
【０００４】
それゆえ、椅子を高く持ち上げる骨の折れる労力を伴わずに、テーブルの下を掃除できるように椅子を邪魔にならないところに移動することができる解決法が必要とされている。
【課題を解決するための手段】
【０００５】
上述の問題の少なくとも１つが、請求項１による取付部品を用いて解決される。  
本発明の実施形態は、独立請求項ならびに以下の説明および図面から明らかとなる。
【０００６】
本発明の第１の態様によれば、椅子をテーブルトップに掛けることを目的とした、椅子に取り付けるための取付部品において、取付部品は、椅子のシートに固定されるように設計されたホルダ、およびホルダに結合されたヨークを備え、前記ヨークはホルダに対して可動であり、前記ヨークは、椅子に取り付けられている場合第１の位置と第２の位置との間でシフトでき、かつ椅子が真っ直ぐに立てて置かれているとき、前記ヨークは、第１の位置では、椅子のシートの下側に垂直方向に延出し、かつ第２の位置では、椅子のシートの上側に垂直方向に延出することを特徴とする取付部品が得られる。
【０００７】
取付部品をこのように設計することによって、そのような取付部品を椅子に固定させることにより、掃除中などに椅子を脇へ動かすように使用することができる。２つの取付部品を、好ましくは椅子の対向する両側端に、好ましくは固定させる。このようにして、椅子をテーブルトップに掛けて吊すことができる。ホルダが椅子のシートに固定され、かつヨークが椅子のシートを横切って延出するように取付部品を固定することができる。これは、椅子をテーブルに掛けるとき、椅子のシートがテーブルトップの真下に配置されるような高さとなるようにする効果を有し得る。椅子がそのような高さで置かれると、テーブルの下の床の表面を掃除するための大きな空間が生じる。ヨークは、ヨークとシートとの間の垂直距離がテーブルトップの厚さと少なくとも同じ長さとなるようにシートの上側に垂直方向に延出する。このように、ヨークは、テーブルトップの上面に当接し、およびシートをテーブルトップの下に配置することができる。本発明の利点はまた、取付部品を、肘掛けのない椅子に固定することができることである。そのため、そのような椅子を、骨の折れる椅子を持ち上げたりひっくり返したりすることを必要とせずにテーブルに掛けて吊すことができる。さらに、ヨークに２つの位置があることにより、第１の位置では、邪魔にならないように椅子のシートの下に引っ込めることができることを意味する。
【０００８】
ヨークを、垂直方向に延出するものとして説明する場合、この方向は、椅子が真っ直ぐに立てて置かれている位置にあるときの椅子のシートの実質的に水平な面に対して垂直な方向を意味する。ヨークは、シートの水平面が実質的にある垂直方向に沿った位置とは異なる、２つの位置のいずれか一方の側に向かって垂直方向に沿ってさらに延出する。
【０００９】
一実施形態では、ホルダを、シートの下面に固定するように設計できる。これは、椅子の外観を損なうことなくおよび座り心地に影響を及ぼすことなく、取付部品を椅子に取り付けることができることを意味する。ヨークを第２の位置に配置する場合、ヨークはシートの下面のホルダからシートの外側および上方に延出する。
【００１０】
さらなる実施形態では、ヨークは、第１の位置では、シートの下面に向かって延出できる。このように、ヨークは、第１の位置では、椅子に着席している人の邪魔にならないように下げることができるだけでなく、見えないようにシートの下に内側に入れることができる。ヨークがシートの下面に向かって延出できるということは、ヨークが、椅子へのホルダの接着点から、接着点と平行してシートの下面の領域に向かって延出できるということを意味する。ヨークは、シートがある平面に実質的に平行な方向に延出できるが、例えばヨークがシートの下面に当接するようにシートに対してわずかに角度が付けられてもいる。
【００１１】
一実施形態では、取付部品はさらにスプリングを含み、スプリングは、バネ力によってヨークを第１および／または第２の位置に保持するように配置できる。これによって達成される効果は、ヨークが一方の位置から他方の位置に動かされるときに、ヨークを第１または第２の位置の方へバネ力により動かすことができることである。これはまた、ヨークが所与の位置にしっかりと保持されることを意味する。
【００１２】
一実施形態では、ホルダをスプリングおよびヨークの第１の部分に結合できる。さらなる実施形態では、ホルダは長手方向軸に沿って延在でき、およびヨークはホルダに対して長手方向軸の周りで回転可能である。このように、ホルダが椅子に固定されているため、ヨークを椅子に対して動かすことができる。ホルダは長手方向軸に延在することができ、およびヨークがホルダに対して動くときにヨークの第１の部分が長手方向軸の周りで回転するように、ヨークの第１の部分をホルダに結合する。ヨークの第２の部分は長手方向軸から離れて延出し得る。このように、ヨークの第２の部分は、ヨークの第１の部分が長手方向軸の周りで回転するときに２つの位置の間で動く。そこで、ヨークを第１の位置に配置するようにヨークの第１の部分が回転されたとき、ヨークの第２の部分は長手方向軸から離れて、座面の下に内側に延出することができ、さらに、ヨークを第２の位置に配置するようにヨークの第１の部分が回転されたとき、ヨークの第２の部分は長手方向軸から離れて、シートから外側および上方に延出することができる。
【００１３】
さらなる実施形態では、スプリングが、ヨークの第１の位置と第２の位置との間の中間位置では第１または第２の位置におけるよりも大きなバネ力をヨークに加えるように、ホルダを、ヨークの第１の位置と第２の位置との間でヨークの動きを制御するように設計でき、ヨークは、第１の位置と第２の位置との間でシフトされるときに前記中間位置を通過する。中間位置は、ヨークを一方の位置から他方の位置へシフトするためにユーザがヨークに力を加えることを必要とする。バネ力は第１の位置と第２の位置との間では、すなわち中間位置では大きいため、ヨークは、外力を加えずには、前記第１の位置および第２の位置のいずれかから自然発生的に動くことはできない。
【００１４】
一実施形態では、ホルダはまた長手方向軸に沿って延在することができ、およびホルダの一方の側部が、ホルダの他方の側部よりも長手方向軸に沿った長さが長くなるように、長手方向軸に沿ったホルダの一方の端部を傾斜面とすることができる。
【００１５】
さらに、一実施形態では、ヨークの一セクションはホルダの傾斜端部に当接し、かつ、ヨークを前記第１の位置に配置するとき、前記セクションは、長手方向軸に沿って最も短いホルダの前記側部に当接する。
【００１６】
このように、ヨークに加えられるバネ力は、ヨークが第１の位置と第２の位置との間でシフトされるときにはホルダの形状によって制御される。スプリングはヨークを保持するので、ヨークを第１または第２の位置に配置するときには、ヨークはホルダの端部の周りを、それゆえホルダがより長く延在しかつヨークに加えられるバネ力が大きい中間位置を通過して自然発生的に動くことができない。
【００１７】
一実施形態では、ホルダは長手方向軸に沿って延在することができ、およびヨークは、ホルダに固定された第１の部分と、長手方向軸に対して実質的に平行に延在する第２の部分とを有し、および第２の部分は、長手方向軸から少し離れて配置されている。このように、ホルダが椅子に取り付けられるとき、およびヨークがその第２の位置に配置されるとき、ヨークの第２の部分は、ホルダを通って長手方向軸に対して平行であるが、シートの上側に垂直方向に延出する。そこで、シートがテーブルトップの下側におよびそれに対して実質的に平行に掛けられるように、ヨークの第２の部分をテーブルトップに掛けることができる。
【００１８】
さらなる実施形態では、ヨークの第２の部分を長手方向軸から５〜１２ｃｍ、好ましくは５〜１０ｃｍ、および一層好ましくは６〜９ｃｍの距離に配置することができる。ここで、ヨークの第２の部分がテーブルトップの上面に当接するときに、シートはテーブルトップの下面付近に掛かっている。テーブルトップの厚さおよびシートの厚さに依存して距離を調節することができる。
【００１９】
本発明の第２の態様によれば、テーブルに掛けるための椅子を得る。前記椅子は、本発明による２つの取付部品を備え、これら取付部品は、椅子の対向する両側端に配置されている。このように、２つの取付部品は双方とも、テーブルトップに掛けることができるように、ヨークが椅子のシートの上側に垂直方向に延出する第２の位置に展開することができる。次いで、椅子を床の表面から高く配置し、およびテーブルおよび椅子の下の掃除を容易にする。
【００２０】
さらなる実施形態では、両取付部品をシートの下面に固定する。このように、取付部品は邪魔にならず、椅子の外観を損なうことがない。ヨークをそれらの第１の位置にシフトするとき、ヨークは椅子のシートの下側に実質的に隠される。
【発明の効果】
【００２１】
本発明によれば、
装置を提供することができる。
【図面の簡単な説明】
【００２２】
【図１ａ】本発明の一実施形態による取付部品の分解斜視図を示す。
【図１ｂ】本発明の一実施形態による取付部品の上面図を示す。
【図１ｃ】本発明の一実施形態による取付部品の上面図を示す。
【図２ａ】椅子に取り付けられた、本発明の一実施形態による取付部品の斜視図を示す。
【図２ｂ】テーブルに掛けられた椅子に取り付けられた、本発明の一実施形態による取付部品の斜視図を示す。
【発明を実施するための形態】
【００２３】
本発明を以下、本発明の好ましい実施形態を示す添付の図面を参照して詳細に説明する。しかしながら、本発明は、多くの異なる形態で実施することができ、かつここで提示する実施形態に限定すると解釈されるべきではない。むしろ、これらの実施形態は、この説明がより明瞭で包括的であり、かつ当業者に本発明の範囲を十分に伝えることができることを意図している。図面では、同じ参照符号は同じ要素を指す。
【００２４】
図１ａ、図１ｂおよび図１ｃに、第１の部分３ａ、第２の部分３ｂおよび中央部分４を備えるＵ字形状を有するヨーク２を備える本発明による取付部品１を示す。ヨークの第１の部分３ａおよび第２の部分３ｂは実質的に平行になっており、中央部分４によって分離されている。中央部分４と第１の部分３ａおよび第２の部分３ｂとの間はそれぞれ実質的に直角をなしている。中央部分４は、第１の部分３ａと第２の部分３ｂとの間の長さ範囲に沿ってわずかに屈曲している。このように、中央部分４は、ヨークの第１の部分３ａに接続された第１の部分と、ヨークの第２の部分３ｂに接続された第２の部分とを有する。中央部分の２つの部分は曲部によって分離されている。
【００２５】
ヨークの第１の部分３ａは、スプリング５およびホルダ６に結合される。ホルダ６、スプリング５およびヨークの第１の部分３ａは、共通の長手方向軸Ｘに沿って延在する。ホルダ６は、スプリング５およびヨークの第１の部分３ａを収容するための貫通開口８を備えるチューブ状である。中央部分から最も離れた位置にあるヨークの第１の部分３ａの端部では、ヨークにロックワッシャ１１が固定される。スプリング５の一方の端部がロックワッシャ１１に当接する。スプリング５は、ロックワッシャ１１を介してヨークの部分３ａをホルダ６に押し込む。これは、取付部品１が椅子に取り付けられるときにヨーク２がある特定の位置に維持されることを意味する。ヨークの第１の部分３ａはホルダのほぼ全長に、かつスプリング５全体を通って、長手方向軸Ｘに沿って延在する。スプリング５の他方の端部は、ホルダ６の内部に一体形成される貫通開口８の狭窄部分に当接する。
【００２６】
ヨーク２を収容する端部であるホルダの一方の端部１０は傾斜している。それゆえ、この端部１０は、ホルダの他方の端部１４のようには長手方向軸Ｘに対して直角となっていない。それゆえ、端部１０の一方の側部１０ａは、端部１０の他方の側部１０ｂよりも長手方向軸Ｘに沿って長く延在している。スプリング５が、ロックワッシャ１１を介してヨーク２をホルダ６に押し込むとき、ヨークの中央部分４はホルダの端部１０に当接する。ヨーク２は第１の位置と第２の位置との間にシフトされ、ヨークの中央部分４は、中間位置では、ホルダの端部１０の長い側部１０ａを通過するようにホルダの端部１０に沿って回転する（図１ｂ参照）。中間位置では、ヨークの第１の部分３ａは、ロックワッシャ１１がスプリング５を押圧してスプリングが圧縮されるようにホルダから引かれる。それゆえ、中間位置では、スプリング５は、ヨークの第１または第２の位置において加えるバネ力よりも大きなバネ力をロックワッシャ１１およびヨークの第１の部分３ａに加える。それゆえ、ホルダの傾斜端部１０は、スプリング５によってヨーク２を第１または第２の位置に維持できる効果を有し、およびヨーク２を、中間位置およびホルダの端部１０の長い側部１０ａを通過して回転させるために、ユーザによって一定の外力を加える必要がある。図１ｃに、ヨークの中央部分４がホルダの端部１０の短い側部１０ｂに当接するヨーク２の位置を示す。この位置では、スプリング５はより伸長された状態にあるので、ロックワッシャ１１を押圧するバネ力は、ヨークが中間位置にある場合よりも弱い。
【００２７】
ロックワッシャ１１の外側の、ホルダの端部１４には、ホルダ６の部品を保護するためのキャップ１２が装着されている。
【００２８】
ホルダ６を椅子の下面に取り付けるために、ホルダの外側やその他丸みのある表面を、その一側部において、平面７を形成するように面取りする。この面７をシートの下面に接触するように配置し、ネジ穴９を通して係合するネジによってホルダ６を椅子に固定する。
【００２９】
取付部品１が取り付けられた椅子がテーブルに掛けて吊り下げられているときに、ヨーク２がテーブルトップに跡を付けないようにするため、およびヨーク２および椅子がテーブルトップから滑り落ちないようにするため、ヨークの第２の部分３ｂは、滑り止め保護材１３を備える。滑り止め保護材１３は好ましくはゴム製またはプラスチック材料製である。
【００３０】
図２ａに、好ましくは椅子２０の対向する両側端に取り付けられている、本発明による２つの取付部品１を示す。取付部品のホルダ６の平面７は、ネジ穴９を通して係合するネジによって、シート２１の下面に対して椅子にしっかりとねじ留めされる。ヨーク２は、シート２１の下側に向けられるようにそれらの第１の位置にされている。すなわち、この位置では、ヨークの第２の部分３ｂはシートの下に配置されている（シートの下面に当接する）。これは、取付部品１が椅子２０に取り付けられているときに、ホルダ６のみが見えていることを意味する。ヨーク２は、ヨークの中央部分４がホルダ６の短い側部１０ｂに当接するときにヨーク２をホルダ６に引き入れるスプリングによって第１の位置に維持される。
【００３１】
図２ｂでは、ヨーク２は中間位置を経由して第２の位置にされる。第２の位置では、ヨーク２はシートの下面から斜めに外側に上方に延出する。ヨーク２は、ヨーク２に吸い込まれるスプリングによって第２の位置に維持される。これは、シートの端部とホルダの長い側部１０ａとの間にヨークの中央部分４が保持される効果を有する。ヨーク２の中央部分４は曲部を有し、中央部分４の第１の部分はホルダ６から斜めに外側および上方に延出する。中央部分４の曲部によって第１の部分から分離している中央部分４の第２の部分は、第１の部分に対して曲がっており、かつ、椅子２０が真っ直ぐに立てて置かれているとき、垂直方向に実質的に真っ直ぐに延出する。中央部分４の第２の部分は、ヨーク２の第２の部分３ｂに接続されている。
【００３２】
これは、シート２１がテーブルトップの下面付近に掛かっているように、ヨークの第２の部分３ｂをテーブルトップ３０に掛けることができることを意味する。それゆえ、椅子２０は、床の表面上方のちょうどいい高さに掛かって吊られていて、テーブルおよび椅子２０の下の掃除が簡単にできるようになる。ホルダ６の長手方向軸Ｘとヨークの第２の部分３ｂとの間の距離は約６〜９ｃｍである。そこで、第２の部分３ｂをホルダ６の外縁から少なくとも５ｃｍに配置すると、シート２１から十分に離れて上方にあることとなり、ヨークの第２の部分３ｂとシート２１との間の空間に垂直方向にテーブルトップ３０を収容できるようになる。ヨーク２を長手方向軸Ｘの周りで第１の位置と第２の位置との間で回転するとき、ホルダ６とヨークの第２の部分３ｂとの間の距離はずっと実質的に同じである。
【００３３】
取付部品１を椅子２０に取り付けるとき、長手方向軸Ｘに沿って長く延在するホルダの側部１０ａがシート２１の外縁に最も近くなるように配置するように取り付ける。このことにより、ホルダの平面７に対するホルダの長い側部１０ａの配置を誘導する。平面７は、ホルダ６の長い側部１０ａから直角に向けられた方向に実質的に平行な平面内にある。これは、ヨークの中央部分４がホルダの端部１０の長い側部１０ａに当接するヨーク２の中間位置では、ヨーク２が、椅子のシート２１によって形成された水平面に対して実質的に平行な方向に、椅子から横に真っ直ぐに延出することを意味する。次いでヨーク２を中間位置を過ぎてその第２の位置に向かってシフトすると、スプリング５がヨーク２をホルダ６に引っ込めて、ヨーク２が第２の位置に達したときに、ホルダの端部１０に当接しかつまた椅子のシート２１の端部にも当接することによってヨーク２をその位置に維持する。ヨーク２は、その第１の位置では、スプリングのバネ力が椅子のシート２１の下面の方へヨーク２を引き込むように中間位置を通過して動かされた。
【００３４】
２つの取付部品が椅子２０に取り付けられるとき、２つの取付部品は互いに鏡面対称に配置される。
【図１ａ】
2011110428.tif 000003
【図１ｂ】
2011110428.tif 000004
【図１ｃ】
2011110428.tif 000005
【図２ａ】
2011110428.tif 000006
【図２ｂ】
2011110428.tif 000007